【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
装置であって、
ワイヤレスネットワークプラットフォームを実装するように構成された接続性チップと、
前記装置を少なくとも1つのプロセッサを有するホストと相互接続するように構成された1つまたは複数の標準周辺インターフェースと、
近位デバイスツーデバイス(D2D)通信フレームワークに関連するコマンドプロトコルおよび1つまたは複数の通信サービスを実装し、前記近位D2D通信フレームワークに関連する前記コマンドプロトコルを前記1つまたは複数の標準周辺インターフェースを介してエクスポーズするための手段であって、前記コマンドプロトコルおよび前記1つまたは複数の通信サービスは、近接度ベースの分散バスを介したD2D通信を有効化する手段と
を備え、
前記少なくとも1つのプロセッサにおいてデータが消費できるようになったことに応答して前記ホストに通知するための手段をさらに備え、
前記通知するための手段は、前記装置を前記ホストに結合するように構成された専用割込み回線であり、
前記コマンドプロトコルを実装するための前記手段は、前記少なくとも1つのプロセッサにおいてデータが消費できるようになったことに応答して前記専用割込み回線をアサートするように構成されている装置。
【請求項２】
前記1つまたは複数の標準周辺インターフェースと前記ホストに通知するための前記手段は、
前記装置と前記ホストを結合する物理配線、又は
チップ内仮想配線
を具備する、請求項1に記載の装置。
【請求項３】
前記エクスポーズされたコマンドプロトコルに関連する1つまたは複数のコマンドを前記1つまたは複数の標準周辺インターフェースを介して前記少なくとも1つのプロセッサから受信するための手段と、
前記近位D2D通信フレームワークに関連する前記1つまたは複数の通信サービスを呼び出して前記1つまたは複数の要求に対処するための手段と
をさらに備える、請求項1に記載の装置。
【請求項４】
前記近位D2D通信フレームワークにバインドされた1つまたは複数のインターフェースを実装するための手段、又は
前記ホストに関連するサービス構成を記憶するための手段
をさらに備える、請求項1に記載の装置。
【請求項５】
前記ワイヤレスネットワークプラットフォームは、少なくとも無線周波数フロントエンドと1つまたは複数のワイヤレス無線とを備える、請求項1に記載の装置。
【請求項６】
前記装置は、モノのインターネット(IoT)接続性モジュールであって、
前記コマンドプロトコルを実装するための手段は、アプリケーションであって、
前記近位D2D通信フレームワークに関連する前記コマンドプロトコルおよび前記1つまたは複数の通信サービスを実装することであって、前記コマンドプロトコルおよび前記1つまたは複数の通信サービスは、前記近接度ベースの分散バスを介したD2D通信を有効化する、実装することと、
前記近位D2D通信フレームワークに関連する前記コマンドプロトコルを前記1つまたは複数の標準周辺インターフェースを介してエクスポーズすることと
を行うように構成されたアプリケーション
を備える請求項1に記載の装置。
【請求項７】
前記1つまたは複数の標準周辺インターフェースと前記専用割込み回線は、前記IoT接続性モジュールと前記ホストとの間の物理配線、又は
前記IoT接続性モジュールと前記ホストとの間のチップ内仮想配線
を構成する、請求項6に記載のIoT接続性モジュール。
【請求項８】
前記エクスポーズされたコマンドプロトコルに関連する1つまたは複数のコマンドを前記1つまたは複数の標準周辺インターフェースを介して前記少なくとも1つのプロセッサから受信し、
前記近位D2D通信フレームワークに関連する前記1つまたは複数の通信サービスを呼び出して前記1つまたは複数の要求に対処するように構成された少なくとも1つのアプリケーションプログラムインターフェースをさらに備える、請求項6に記載のIoT接続性モジュール。
【請求項９】
前記IoT接続性モジュールは、前記近位D2D通信フレームワークにバインドされた1つまたは複数のインターフェースを実装するように構成された埋込みファームウェアをさらに備えるか、又は
前記IoT接続性モジュールは、前記IoT接続性モジュールと相互接続された前記ホストに関連するサービス構成を記憶するように構成されたメモリをさらに備えるか、又は
前記ワイヤレスネットワークプラットフォームは、少なくとも無線周波数フロントエンドと1つまたは複数のワイヤレス無線とを備える、
請求項6に記載のIoT接続性モジュール。
【請求項１０】
モノのインターネット(IoT)デバイスであって、
少なくとも1つのプロセッサを有するホストと、
前記ホストに結合された配線であって、周辺配線と専用割込み回線とを備える配線と、
請求項７に記載のIoT接続性モジュールと、
を備えるIoTデバイス。
【請求項１１】
1つまたは複数の汎用入出力(GPIO)ピンを介して前記ハードウェアモジュールと一体化されたアナログデバイス、又は
少なくとも1つのアプリケーションプログラムインターフェース(API)を介して前記ハードウェアモジュールと一体化されたデジタルデバイス、又は
1つまたは複数の汎用入出力(GPIO)ピンを介して前記ハードウェアモジュールと一体化された1つまたは複数のアナログ構成要素と少なくとも1つのアプリケーションプログラムインターフェース(API)を介して前記ハードウェアモジュールと一体化された1つまたは複数のデジタル構成要素とを有する多機能デバイス、又は
1つまたは複数の汎用入出力(GPIO)ピンおよび少なくとも1つのアプリケーションプログラムインターフェース(API)を介して前記ハードウェアモジュールと一体化された1つまたは複数の電子構成要素とを有するメーカーボードであって、前記ハードウェアモジュールは、1つまたは複数の遮蔽要件に従って前記メーカーボードに適合するための形状係数を有する、メーカーボード
をさらに備える、請求項10に記載のIoTデバイス。
【請求項１２】
照明システムに結合された照明コントローラを備え、前記ハードウェアモジュールは、
電力モジュールと、
前記電力モジュールから前記照明コントローラに結合された照明システムに供給される1つまたは複数の電気パルスに関連する幅を調節するように構成されたパルス幅変調(PWM)モジュールであって、前記D2Dアプリケーションは、1つまたは複数の照明サービスを実装して前記照明システムに関連する1つまたは複数の照明デバイスを制御するようにさらに構成されるPWMモジュールと
をさらに備える、請求項10に記載のIoTデバイス。
【請求項１３】
モノのインターネット(IoT)接続性を実現するための方法であって、
ワイヤレスネットワークプラットフォームを実装するハードウェアモジュールを、少なくとも1つのプロセッサを有するホストと、1つまたは複数の標準周辺インターフェースを介して相互接続するステップと、
前記ハードウェアモジュールにおいて、近位デバイスツーデバイス(D2D)通信フレームワークに関連するコマンドプロトコルおよび1つまたは複数の通信サービスを実装するステップであって、前記コマンドプロトコルおよび前記1つまたは複数の通信サービスは、近接度ベースの分散バスを介したD2D通信を有効化する、ステップと、
前記ハードウェアモジュールによって、前記ハードウェアモジュール内に実装された前記近位D2D通信フレームワークに関連する前記コマンドプロトコルを前記1つまたは複数の標準周辺インターフェースを介して前記ホストにエクスポーズするステップと、
前記ハードウェアモジュールによって、前記近位D2D通信フレームワークに関連する前記エクスポーズされたコマンドプロトコルに従って、前記ワイヤレスネットワークプラットフォームおよび前記1つまたは複数の標準周辺インターフェースを介して、前記ホストとIoTネットワークにおける1つまたは複数のノードとの間でデータを伝達するステップと、
を含み、
前記方法は、前記少なくとも1つのプロセッサにおいてデータが消費できるようになったことに応答して前記ハードウェアモジュールと前記ホストとの間に結合された専用割込み回線をアサートするステップをさらに具備する方法。
【請求項１４】
前記少なくとも1つのプロセッサにおいて消費することができる前記データを要求する前記ホストからのメッセージを前記1つまたは複数の標準周辺インターフェースを介して受信するステップと、
利用可能なデータを要求する前記ホストからの前記メッセージに応答して前記少なくとも1つのプロセッサにおいて消費することのできる前記データを前記1つまたは複数の標準周辺インターフェースを介して前記ホストに伝達するステップと
をさらに含む、請求項13に記載の方法。
【請求項１５】
前記エクスポーズされたコマンドプロトコルに関連する1つまたは複数のコマンドを前記1つまたは複数の標準周辺インターフェースを介して前記少なくとも1つのプロセッサから受信するステップと、
前記近位D2D通信フレームワークに関連する前記1つまたは複数の通信サービスを呼び出して前記1つまたは複数の要求に対処するステップと
をさらに含む、請求項13に記載の方法。